(57)【特許請求の範囲】
【請求項１】
上方が開口するケースと、該ケースの開口に取付けられるカバーと、上記ケースとカバーとの取付部の外周を締め付けて両者を連結する締め付けバンドとを備えた加圧容器において、
上記ケースの側壁上部と、カバーにおける上記ケースの取付時に上記側壁上部に重なる部分とのいずれか一方に、複数個の係止突起を設けるとともに、他方にこれらの係止突起が挿入される係止溝を設け、
上記係止溝が、それを設けたケースまたはカバーの端部に開口し、かつケースとカバーとの取付け時に上記係止突起をそれが係止する係止部にスライドさせる傾斜部と、上記係止突起を最終的に係止させる水平方向の上記係止部と、該係止部の傾斜部との連通部分に形成され、該係止部に係止した係止突起の傾斜部への抜け出しを防止する係止突部とを備え、
上記傾斜部を、その端部開口から上記係止部に至る範囲において、それを係止突起に対向させて相互に押圧したときに、該係止突起が傾斜部をスライドして係止部まで挿入されるものとした、
ことを特徴とする加圧容器の安全装置。
【請求項２】
加圧容器を、フィルタエレメントを有するフィルタ装置とした、
ことを特徴とする請求項１に記載した加圧容器の安全装置。
【発明の詳細な説明】
【０００１】
【発明の属する技術分野】
本発明は、加圧容器の安全装置に関するものである。
【０００２】
【従来の技術】
フィルタ装置やタンク等の内圧が作用する加圧容器は、ケースとカバーとの取付部の外周を締め付けバンドを締め付けて、容器の内圧によってケースとカバーとが分離しないようにしている。
しかしながら、上記加圧容器は、内部部品の点検や交換等のために締め付けバンドを取り外したときに、内圧によってケースとカバーとが分離して、ケースが落下したりカバーが飛散したりすると、作業者にとって危険である。
【０００３】
また、フィルタ装置のように、カバーに圧縮空気等の流体を給排するための配管が取付けられている加圧容器においては、内部部品の点検や交換のためにケースに取付けた配管を外すことは面倒であるから、配管が取付けられたカバーにケースを着脱するようにしている。
しかしながら、フィルタ装置のカバーにケースを着脱する場合、重量が大きいケースの落下を防止しながら締め付けバンドを取り外したり、或いはケースをカバーに向けて押圧しながら締め付けバンドを締め付けたりすることが困難であるため、ケースのカバーへの着脱には、ケースを支持する者と締め付けバンドを着脱する者との二人の作業者が必要になるので、作業に手数を要するという問題がある。
【０００４】
これらの問題を解決するために、加圧容器においては、ケースとカバーとを係止するための係止手段が設けられている。
図６ないし図１０は、特開平７−３２８３３３号公報に開示された加圧容器の係止手段を示し、フィルタ装置１として構成されたこの加圧容器は、カバー２と、該カバー２に取り外し可能に取付けられるケース３と、ケース３に交換可能に取付けられたフィルタエレメント４とを備えている。
上記カバー２は逆カップ状をなし、直径方向に対向させて開設した側壁の開口に、被濾過流体の供給管と排出管（図示省略）が螺着される入口筒部６と出口筒部７が溶接等によって取付けられており、出口筒部７に、下方が開口するエレメント取付部８が、アダプタ７ａを介して取付けられている。
【０００５】
上記カバー２の側壁には、内方に突出する複数個、好ましくは３個の突起９が円周方向に等間隔に形成され、その下端近くには、下方及び外方に向いて傾斜するテーパ１０が形成されている。
また、カバー２の上壁には、取付用の平坦部１１，１１とベント孔１２とが形成され、テーパ１０の上方でかつ筒部６と７の取付方向と直交する方向に、後記する締め付けバンド（図示の例はＶバンド）１３を取付けるためのバンド取付金具１４が取付けられている（図９参照）。
【０００６】
上方が開口する上記ケース３は、側壁の上部に、上部が開口しかつ上記突起９が挿入されて係止するほぼＬ字形の係止凹部１６が、突起９と同数個円周方向に等間隔に形成され（図６参照）、その下方の円周方向に断面ほぼ三角形状の膨出部１７が、さらにその下方に複数個（図示の例は４個）の指掛け部１８がそれぞれ形成されており、各係止凹部１６の水平部分は下方に向けて僅かに傾斜している。
ケース３の底部に形成した筒部には、ドレン口を有するドレン部材２０が溶接等の適宜の手段によって取付けられており、膨出部１７の上面にカバー２との間を密にシールするシールリング２１が嵌着されている。
【０００７】
ケース３の底部に設けたエレメントホルダ２３は、周縁にフィルタエレメントを弾性的に保持する複数個の保持片２３ａを有し、該ホルダ２３の中心部分に取付けられたばね座２４とドレン部材２０との間に、フィルタエレメント４をカバー２に向けて付勢するばね２５が縮設されている。
また、膨出部１７には欠円状のリング２６が嵌着され、該リング２６に、フィルタエレメント４の軸方向中間部分を弾性的に支持する複数個の円弧状の支持片２７が揺動可能に取付けられている。
【０００８】
上記フィルタエレメント４は、ポリプロピレンのファイバーまたは不織布等によって中空円筒状に形成され、上端にエレメント取付部８の開口に密に挿入される円筒状の装着部３０を有し、中空部の下端が閉鎖部材３１によって密に閉鎖されている。
【０００９】
上記バンド取付金具１４には、締め付けバンド１３の取付ピン３８，３８の頭部が遊挿されるピン挿通孔３４，３４と、これよりも幅が狭く上記取付ピン３８，３８の頭部が係止する円周方向のピン係止孔３５，３５が形成されている。
図８ないし図１０に詳細を示す上記締め付けバンド１３は、倒チャンネル状の連結金具３７と、該連結金具３７に取付ピン３８，３８によって回転可能に取付けられた締め付け部材１３ａ，１３ｂを備え、平面視ほぼ判円弧状をなすこれらの締め付け部材１３ａ，１３ｂは、若干拡開する両壁がテーパ１０と１９に係止する倒Ｖ字形の断面を備えている。
【００１０】
締め付け部材１３ａの先端には、締め付け部材１３ｂの先端に遊嵌する枠体３９が、ピン４０によって回転可能に取付けられており、枠体３９に、締め付け部材１３ｂの先端を押圧して、締め付けバンド１３を締め付けるねじ４１が螺着されている。
上記締め付けバンド１３は、取付ピン３８，３８の頭部を、バンド支持金具１４のピン挿通孔３４，３４に挿通して円周方向に若干移動させると、これらのピンの頭部がピン係止孔３５，３５に係止してバンド金具１４に取付けられ、これと反対の操作によってバンド取付金具１４から取り外すことができる。
図６中の符号４３は、ベント孔１２とドレン部材２０のドレン口とに螺着したプラグである。
【００１１】
上記カバー２は、適宜の部材に取付けられたブラケット４４の取付孔を通る取付ボルト４５，４５を、平坦部１１，１１に取付けたスぺーサ４６，４６に螺入することによって固定される。しかしながら、カバー２の固定手段は、これに限定されるものではない。
【００１２】
上記ケース３は、係止凹部１６の上部開口をカバー２の突起９に、フィルタエレメント４の装着部３０を取付部８の開口にそれぞれ対向させて、ばね２５の付勢力に抗して上方に向けて押圧しながら所定の方向に回転させると、突起９と係止凹部１６が係止してケース３がカバー２に取付けられるとともに、フィルタエレメント４の装着部３０がエレメント取付部８の開口に密に挿入され、ばね２５の付勢力によって、フィルタエレメント４の上面が上記開口縁に圧接される。
ケース３を把持して上記方向と逆方向に回転させると、ばね２５の付勢力によって突起９と係止凹部１６の係止が外れるので、ケース３をカバー２から分離することができる。
したがって、係止凹部１６と突起９とによってカバー２とケース３を係止することができ、この状態で締め付けバンド１３によってカバー２とケース３とを締め付けることができるので、一人の作業者によってカバー２とケース３とを容易に着脱することができる。
【００１３】
しかしながら、上記構成の突起９と係止凹部１６によるカバー２とケース３の係止は、これらの係止についての配慮に欠けるところがあり、係止凹部１６がほぼＬ字形をしているために、ケース３の回転が不十分で、突起９が係止凹部１６の奥まで挿入されていなくても、ケース３がカバー２に係止される。
そして、突起９と係止凹部１６によるカバー２とケース３の係止が不完全であっても、カバー２とケース３の取付部の外周が締め付けバンド１３によって締め付けられるために、フィルタ装置１に内圧が作用してもカバー２とケース３が分離することはない。
【００１４】
このため、カバー２とケース３の係止が完全でなかったり、或いは何らかの原因によって突起９と係止凹部１６の係止が緩んだりしているときに、内部部品の点検や交換等のために締め付けバンド１３を取り外すと、フィルタ装置１内の流体圧によって、ケース３がカバー２から分離して落下することがある。
点検等の作業中におけるケース３の落下は作業者にとって危険であるから、フィルタ装置等の加圧容器においては、締め付けバンド１３を取り外したときに、内圧によるカバー２とケース３との分離を確実に防止する必要である。
【００１５】
【発明が解決しようとする課題】
本発明が解決しようとする課題は、ケースとカバーを確実に係止して、内圧によるこれらの分離を防止することができる加圧容器の安全装置を提供することにある。
【００１６】
【課題を解決するための手段】
上記課題を解決するため、本発明における加圧容器の安全装置は、上方が開口するケースと、該ケースの開口に取付けられるカバーと、上記ケースとカバーとの取付部の外周を締め付けて両者を連結する締め付けバンドとを備えた加圧容器において、上記ケースの側壁上部と、カバーにおける上記ケースの取付時に上記側壁上部に重なる部分とのいずれか一方に、複数個の係止突起を設けるとともに、他方にこれらの係止突起が挿入される係止溝を設け、上記係止溝が、それを設けたケースまたはカバーの端部に開口し、かつケースとカバーとの取付け時に上記係止突起をそれが係止する係止部にスライドさせる傾斜部と、上記係止突起を最終的に係止させる水平方向の上記係止部と、該係止部の傾斜部との連通部分に形成され、該係止部に係止した係止突起の傾斜部への抜け出しを防止する係止突部とを備え、上記傾斜部を、その端部開口から上記係止部に至る範囲において、それを係止突起に対向させて相互に押圧したときに、該係止突起が傾斜部をスライドして係止部まで挿入されるものとしたことを特徴としている。
【００１７】
また、同様の課題を解決するため、上記加圧容器を、フィルタエレメントを有するフィルタ装置としたことを特徴としている。
【００１８】
【作用及び発明の効果】
カバーまたはケースのいずれか一方に設けた複数個の係止突起をこれらの他方に設けた係止溝の開口に対向させて、これらの一方を他方に向けて押圧すると、係止突起が係止溝に設けた傾斜部をスライドして係止部に係止することによりカバーとケースとが取付けられ、これらの取付部の外周を締め付けバンドによって締め付けると、カバーとケースが強固に取付けられる。
この場合、係止溝に傾斜部を設けたために、係止突起が係止溝の傾斜部を通って係止部に挿入されないとカバーとケースが係止されないので、カバーとケースの不完全な係止を防止することができる。
【００１９】
加圧容器に内圧が作用している状態において締め付けバンドを取り外しても、係止突起が係止部に設けた係止突部に係止して、傾斜部側への移動が阻止されるので、内圧によるカバーとケースの分離を確実に防止することができる。
したがって、加圧容器におけるカバーとケースの着脱作業が安全で、しかも一人の作業者によってこれらを着脱することができる。
【００２０】
【発明の実施の形態】
図１及び図２は本発明の第１実施例の要部の構成を示し、加圧容器の一例としてのフィルタ装置５１を構成する上記実施例は、カバー５２とケース５３とを備えている。このフィルタ装置５１は、後記するカバー５２とケース５３との係止手段を構成する係止突起（ピン）５５と係止溝５６以外は、図６ないし図１０に示すフィルタ装置１と同じ構成を備えている。
したがって、図における同一の箇所に同一の符号を付して、詳細な説明は省略する。
【００２１】
上記カバー５２の側壁には、図１に示すように、上記突起９に代えて、円周方向に等間隔に形成された複数個の取付孔に、係止突起の一例としての内向きのピン５５が、それぞれ溶接によって密に取付けられている。しかしながら、上記係止突起は、既提案のフィルタ装置のカバー２と同様に、内向きの突起とすることもできる。
一方、ケース５３の上部に円周方向に等間隔に形成された上記ピン５５と同数個の係止溝５６は、ケース５３の上端に開口する傾斜部５７と、それに連続してピン５５が係止する水平方向の係止部５８と、係止部５８の傾斜部５７との連通部分の上縁に形成した、係止部５８に係止したピン５５の係止部５８から抜け出すことを防止するための下向きの係止突部５９とを備えている。
【００２２】
上記第１実施例は、ケース５３に設けた係止溝５６の上端開口を、カバー５２に設けたピン５５に対向させて上方に向けて押圧すると、ピン５５が係止溝５６の傾斜部５７をスライドして係止部５８に係止するので、ケース５３がカバー５２に取付けられる。
この場合、ピン５５が、係止溝５６の傾斜部５７をスライドして係止部５８に挿入されるために、ピン５５が係止部５８に係止しないとケース５３がカバー５２に係止されないので、ピン５５と係止溝５６とによるカバー５２とケース５３の取付が確実である。
ピン５５の係止溝５６への係止によって、ケース５３がカバー５２に取付けられた後、既提案のフィルタ装置１と同様に、これらのテーパ１０と１９の外周に締め付けバンド１３が締め付けられる。
【００２３】
フィルタエレメント４等の内部部品の点検や交換等のために、ケース５３をカバー５２から分離する場合は、締め付けバンド１３を取り外すと、フィルタ装置５１内に空気圧等の流体圧が作用している場合は、ばね２５の付勢力に加えて、内圧によってカバー５２とケース５３とに分離する方向の力が作用するが、ピン５５が係止部５８の傾斜部５７との連通部分の上縁に形成した係止突部５９に係止し、これによってピン５５の係止部５８からの抜け出しが防止されるので、締め付けバンド１３を取り外しても、内圧等の作用によるカバー５２とケース５３の分離を確実に防止することができる。
したがって、既提案のフィルタ装置１と同様に一人の作業者によってケース５３をカバー５２に着脱することができ、しかも作業が安全である。
【００２４】
なお、上記フィルタ装置５１及び締め付けバンド１３は、ピン５５と係止溝５６とによる係止以外は、図示のものに限定されるものではない。
【００２５】
図３ないし図５は本発明の第２実施例を示し、加圧装置の一例としてのタンク６１を構成する図示の実施例は、ケース６３と、該ケース６３の開口に取付けられるカバー６２とを備えている。
上記ケース６３は、円筒状の胴板６５とその下端近くに溶接によって取付けられた底板６６とを備え、これらの部材は適宜の厚さの鋼板によって形成されている。また、胴板６５の開口は、上方及び外方に向けて傾斜する傾斜面６５ａとされ、その下方の直径方向に、第１実施例と同様に、取付孔とこれらの取付孔に溶接によって密に取付けられた、係止突起を構成する複数個（図示の例は２個）の内向きのピン５５が設けられている。
【００２６】
鋳物により形成されて重い上記カバー６２は、その周縁下方に環状のパッキン取付溝６８とパッキン係止縁６９とを備え、パッキン取付溝６８に上記傾斜面６５ａに圧接してケース６３をシールするＯリング７０が嵌着されており、上面に２個のハンドル７１が設けられている。
また、パッキン取付溝６８の内側下方には、ケース６３に挿入されるリング部材７２が一体に設けられており、このリング部材７２に、ピン５５と同数個の係止溝７４が円周方向に等間隔に形成されている。
【００２７】
図５に詳細を示すように、上記係止溝７４は、リング部材７２の下端に開口する上向きの傾斜部７５と、それに連続してピン５５が係止する水平方向の係止部７６と、該係止部７６と傾斜部７５との連通部分の下縁に形成した、係止部７６に係止したピン５５の係止部７６からの抜け出しを防止するための上向きの係止突部７７とを備えている。
また、カバー６２とケース６３とを締め付ける締め付けバンド７９は、一対の締め付け部材の基端を、ピン等の適宜の手段によって枢着したものとして構成されている。
図３の符号８０は温度計等を挿入するための点検孔で、不使用時はプラグ（図示省略）によって閉鎖されている。
【００２８】
上記第２実施例は、カバー６２のリング部材７２に設けた係止溝７４の開口をケース６３に設けたピン５５に対向させてカバー６２を下動すると、ピン５５が自重により下降するカバー６２の係止溝７４の傾斜部７５を通って係止部７６に係止され、カバー６２とケース６３との取付部は、Ｏリング７０がケース６３の胴板６５の傾斜面６５ａに圧接されてシールされる。
次いで、ケース６３とカバー６２の取付部の外周に締め付けバンド７９を締め付けることによって、空気タンク６１が組み付けられる。
第２実施例の他の作用効果は実質的に第１実施例と同じであるから、詳細な説明は省略する。
【図面の簡単な説明】
【図１】第１実施例の要部の拡大図である。
【図２】同じく縦断側面図である。
【図３】第２実施例の半部縦断正面図である。
【図４】同じくカバーの縦断面図である。
【図５】同じく要部の拡大断面図である。
【図６】既提案のフィルタ装置の縦断側面図である。
【図７】同じく要部の正面図である。
【図８】カバーを取付けた状態の平面図である。
【図９】締め付けバンドを施した要部正面図である。
【図１０】図９の要部平面図である。
【符号の説明】
４      フィルタエレメント
１３，７９  締め付けバンド
５１    フィルタ装置
５２，６２  カバー
５３，６３  ケース
５５    ピン
５６，７４  係止溝
５７，７５  傾斜部
５８，７６  係止部
５９，７７  係止突部
６１    タンク
【図１】
0004269365.tif 000002
【図２】
0004269365.tif 000003
【図３】
0004269365.tif 000004
【図４】
0004269365.tif 000005
【図５】
0004269365.tif 000006
【図６】
0004269365.tif 000007
【図７】
0004269365.tif 000008
【図８】
0004269365.tif 000009
【図９】
0004269365.tif 000010
【図１０】
0004269365.tif 000011